(57)【要約】【課題】衣類に着脱自在に取り付けられたカップ材が着用時に脇側に移動してバストが広がることを防止して、バストの補正効果を高める。【解決手段】左右の独立したカップ材と、これらカップ材を内面に着脱自在に取り付ける衣類本体を備え、前記各カップ材の肩側端縁と前中心部とに夫々直接またはテープを介して係止材を取り付けている一方、前記左右カップ材の各係止材と夫々対向する位置の衣類本体に、各係止材を夫々着脱自在に係止する被係止材を設けている。【選択図】図３
2008095247.tif 000002
【特許請求の範囲】
【請求項１】
左右の独立したカップ材と、これらカップ材を内面に着脱自在に取り付ける衣類本体を備え、
前記各カップ材の肩側端縁と前中心部とに、夫々直接またはテープを介して係止材を取り付けている一方、
前記左右カップ材の各係止材と夫々対向する位置の衣類本体に、各係止材を夫々着脱自在に係止する被係止材を設けていることを特徴とするカップ部を有する衣類。
【請求項２】
前記各カップ材には前記肩側端縁と前中心部の２カ所にのみ前記係止材を取り付けている請求項１に記載のカップ部を有する衣類。
【請求項３】
前記係止材と被係止材とは、
いずれか一方が挿入片を有する金具であると共に他方が前記挿入片が挿入される筒部、
いずれか一方がオス・ホックであると共に他方がメス・ホック、
いずれか一方がボタンであると共に他方がボタン穴、あるいは
いずれか一方がオス・面ファスナーであると共に他方がメス・面ファスナーである請求項１または請求項２に記載のカップ部を有する衣類。
【請求項４】
前記被係止材は、係止材と係止する部位を複数位置に備え、係止位置を調整可能としている請求項１乃至請求項３のいずれか１項に記載のカップ部を有する衣類。
【発明の詳細な説明】
【技術分野】
【０００１】
本発明は、カップ部を有する衣類に関するものであり、特に、衣類に着脱自在に取り付けられるカップ材が着用時に脇側に引っ張れてバストを偏平へ広げることなく、バストの補正効果を高めるものである。
【背景技術】
【０００２】
着脱自在のカップ材を有する衣類として、例えば、実開昭６０−６７３１３号公報で水着またはレオタードからなる衣服が提供されている。
前記衣服は、図８に示すように、左右のカップ材１の下縁を伸縮性帯テープ２で連結し、各カップ材１の上尖端部に設けた掛留具３を衣類本体７の両肩部近傍に設けられた伸縮状舌片４に係合させると共に、カップ材１の外側下縁に設けた掛留具５を衣類本体７の両脇部に設けられた伸縮状舌片６に係合している。
【０００３】
前記のようにカップ材1を衣類に取り付けた場合、伸縮性帯テープ２で連結された左右のカップ材１が両肩部と両脇部で宙吊り状に支持されているため、カップ材１の自由度が大きく、特にバストサイズの大きな着用者が着用すると、中央部の伸縮性帯テープ２が伸張してカップ材１がそれぞれ脇側に移動し、バストが広がって十分なバストの補正効果が得られにくいという問題がある。
【０００４】
また、通常のブラジャー等においても、カップ部は脇側に引っ張られて背面中央で係止される構造である。このようにカップ部を脇側に引っ張ると、バストも脇側へと引っ張られて左右のバストも追従して互いに離反方向に広がる傾向がある。このように、カップ材を脇側に引っ張ると、前方に膨出するバストの自然な形状をカップ材により阻害する恐れがある。
【０００５】
【特許文献１】実開昭６０−６７３１３号公報
【発明の開示】
【発明が解決しようとする課題】
【０００６】
本発明は前記問題に鑑みてなされたものであり、カップ部を有する衣類において、衣類に着脱自在に取り付けられたカップ材が着用時に脇側に移動してバストが広がることを防止して、バストの補正効果を高めることを課題としている。
【課題を解決するための手段】
【０００７】
前記課題を解決するため、本発明は、左右の独立したカップ材と、これらカップ材を内面に着脱自在に取り付ける衣類本体を備え、
前記各カップ材の肩側端縁と前中心部とに、夫々直接またはテープを介して係止材を取り付けている一方、
前記左右カップ材の各係止材と夫々対向する位置の衣類本体に、各係止材を夫々着脱自在に係止する被係止材を設けていることを特徴とするカップ部を有する衣類を提供している。
【０００８】
前記した従来例では伸縮性テープで連結されたカップ材を両肩部と両脇部で宙吊り状に衣類本体に係止しているが、本発明では、前記のように、左右の独立したカップ材の肩側端縁と前中心部を衣類本体に夫々係止する構成とし、左右のカップ材を脇側で保持するのではなく、左右バストの間の谷部に当たる位置で衣類本体の中心部に取り付けて保持している。これにより、バストサイズの大きな着用者が着用しても、各カップ材をバストの前中心寄りに安定保持することができ、左右のカップ材の脇側へ引っ張られないため、バストが左右離反方向に追従して広がることを防止し、バストの前方への膨出を損なわせることなく、補正効果を高めることができる。
【０００９】
また、前記のように、カップ材の肩側端縁と前中心部とに直接またはテープを介して係止材を取り付け、各係止材とそれぞれ対向する位置の衣類本体に、各係止材を夫々着脱自在に係止する被係止材を設けているため、着用者の好みに合わせたカップ材を取り付けることができると共に、着用者の体格やバストサイズの変化に応じたカップ材に取り替えることもできる。
【００１０】
また、前記のように、係止材をカップ材に直接取り付けても、テープを介して取り付けてもどちらでもよい。例えば、カップ材のカップサイズを着用者のバストサイズに合わせて選択できるような場合には、係止材をカップ材に直接取り付ける方がカップ材の位置を安定させる点で好ましい。一方、カップ材を取り付ける衣類のサイズとカップ材のカップサイズとが対にして設定されるような場合には、係止材をテープを介してカップ材に取り付ける方が、着用者のバストサイズがカップ材のカップサイズと多少相違していてもフィットさせやすいという点で好ましい。
【００１１】
前記各カップ材には前記肩側端縁と前中心部の２カ所にのみ前記係止材を取り付けていることが好ましい。
前記構成によれば、カップ材の脇側端縁には係止材を取り付けず、フリーな状態としているため、着用時に左右のカップ材が脇側の係止に引っ張られて脇側に移動することがなく、バストの広がりを効果的に防止して補正効果を一層高めることができる。
なお、左右カップ材が脇側に強く引張されない程度の伸びの大きなテープを介してカップ材の脇側端縁にも係止材を取り付け、本体衣類に係止してもよい。
【００１２】
前記カップ材としては、バストにフィットする形状を有し、クッション性のある素材から形成されるものであれば特に限定されない。例えば、ウレタン材などを芯材とし、その表面を肌触りのよい布で覆ってバストカップ形状に熱成形したものは、着用感がよく型崩れしにくく、バスト形状を美しく整えることができるため好適に用いられる。
【００１３】
前記カップ材と係止材をテープによって連結する場合、前記テープは伸縮性テープでも非伸縮性テープでもよい。カップ材のカップサイズを着用者のバストサイズに概ね適合させることが可能な場合には、カップ材と係止材を連結するテープを非伸縮性テープとする方が、該テープに伸びが生じない分、各カップ材をバストの前中心寄りにより安定保持することができるため好ましい。一方、カップ材のカップサイズと着用者のバストサイズに若干の差異が生じてしまう可能性がある場合には、カップ材と係止材を連結するテープを伸縮性テープとしてフィット性を高めるようにすることが好ましい。
【００１４】
前記係止材と被係止材とは、
いずれか一方が挿入片を有する金具であると共に他方が前記挿入片が挿入される筒部、  いずれか一方がオス・ホックであると共に他方がメス・ホック、
いずれか一方がボタンであると共に他方がボタン穴、あるいは
いずれか一方がオス・面ファスナーであると共に他方がメス・面ファスナーであることが好ましい。
【００１５】
前記のような係止材および被係止材を取り付けることにより、簡単にカップ材の着脱を行うことができると共に、容易に外れない構造とすることができる。よって、着用者が身体を激しく動かしても、前記係止材と被係止材との係止が外れてカップ材が脱落することが防止される。
【００１６】
前記被係止材は、係止材と係止する部位を複数位置に備え、係止位置を調整可能としていることが好ましい。
前記のように、被係止材に係止材と係止する部位を複数位置に備えて、係止位置を調整可能とすることにより、着用者にとって最もフィットしやすい部位を選択してカップ部材を係止することができ、各自のバストサイズやバストの隆起状態などに対応した理想的なカップ部とすることができる。
【００１７】
前記カップ部を有する衣類は、ブラ付きシャツなどのアウターウェア、キャミソールやブラスリップ、ボディスーツなどのインナーウェア、レオタードや水着等に好適に用いることができる。
このような衣類において、前記構成によるバストの補正効果を一層高めるために、前身頃のバージスライン（バスト基底部）からウエストラインにかけての領域および後身頃のウエストラインから上端までの領域、さらに肩紐部分を、緊締力の高いパワーのある伸縮性素材から形成して、カップ部を上下からサポートすることが好ましい。これにより、カップ材をより安定状態で保持することができる。
【００１８】
また、前記衣類本体の左右の肩紐として、例えば、幅広で緊締力の高い伸縮性ベルトを前身頃の中央側上辺に沿ってＶ字状をなすように縫着し、背面側もＶ字状をなすように後身頃の上端縁中央部に縫着する構成とすることが特に好ましい。該構成とすると、肩紐のずり落ちを防止し、カップ材を所定位置に確実に保持でき、サポート感を与えることができる。
【００１９】
一方、衣類本体の左右のカップ材を覆うカップ部の領域は、緊締力の弱い伸びの良い伸縮性素材から形成することが好ましく、外縁にギャザーを付けていることが好ましい。これにより、バストを圧迫することなく、バストのさまざまな形態変化にも柔軟に対応しながらバストをサポートすることができる。
【発明の効果】
【００２０】
前述したように、本発明によれば、左右の独立したカップ材の肩側端縁と前中心部を衣類本体に夫々係止する構成としているので、たとえバストサイズの大きな着用者が着用しても、左右のカップ材が脇側に移動することがなく、各カップ材をバストの前中心寄りに安定保持することができ、バストの広がりを防止して補正効果を高めることができる。
【００２１】
また、前記のように、カップ材の肩側端縁と前中心部とに直接またはテープを介して係止材を取り付け、該各係止材とそれぞれ対向する位置の衣類本体に、各係止材を夫々着脱自在に係止する被係止材を設けているため、着用者の好みに合わせたカップ材の着脱や、着用者の体格やバストサイズの変化に応じたカップ材の取り替え等、自由かつ容易に行うことができる。
【００２２】
特に、前記各カップ材には前記肩側端縁と前中心部の２カ所にのみ前記係止材を取り付け、カップ材の脇側端縁には係止材を取り付けずフリーな状態とすることにより、着用時に左右のカップ材が脇側の係止に引っ張られて脇側に移動することがなく、バストの広がりを効果的に防止して補正効果を一層高めることができる。
【発明を実施するための最良の形態】
【００２３】
以下、本発明の実施形態を図面を参照して説明する。
図１乃至図４に、本発明の第１実施形態のカップ部を有する衣類であるトップ側の肌着１０を示す。
【００２４】
図１、図２に示すように、衣類本体を構成する肌着１０は前身頃１１、後身頃１２、肩紐１３を備え、前身頃１１におけるバージスライン（バスト基底部）１４ａより上方の領域、即ち、バージスライン１４ａとＶ字状をなす中央側上辺１４ｂ、脇側上辺１４ｃとで囲まれた領域を、バストを覆うカップ部領域１４としている。また、前記中央側上辺１４ｂに沿うようにして、左右の肩紐１３をカップ部領域１４の端縁にＶ字状に縫着すると共に、前中心位置にて左右の肩紐１３同士を縫合している。また、背面側においても左右の肩紐１３がＶ字状をなすように、肩紐１３の端部を後身頃１２の上端縁中央部に縫着している。
【００２５】
カップ部領域１４は、バストへのフィット性を高めるため、緊締力が弱く、よく伸びる伸縮性編地から形成している。また、カップ部領域１４の外縁には立体感を持たせるためにギャザーを付けている。
一方、前身頃１１のウエストラインＷＬからバージスライン１４ａにかけての領域１５および後身頃１２のウエストラインＷＬから上端まで領域１７は、緊締力が高くパワーのある伸縮性編地から形成して、バストをサポートしている。
また、肩紐１３も緊締力の高い伸縮性素材とし、本実施形態においては、幅広（幅３〜４ｃｍ）の伸縮性テープを用いている。
一方、前身頃１１および後身頃１２のウエストラインＷＬから裾までの領域１６、１８は、前記領域１５、１７より緊締力の弱い伸びやすい伸縮性編地から形成し、腹部や臀部へのフィット性を高めている。
【００２６】
図３に示すように、前記衣類本体のカップ部領域１４の肌側の内面側に、左右独立したカップ材２０（２０Ａ、２０Ｂ）を個別に着脱自在に取り付けて、肌着１０のカップ部を形成している。
【００２７】
左右のカップ材２０は、ウレタン材を芯材とし、該芯材表面をエステル１００％の繊維で天竺編みした布で覆ってバスト形状に熱成形したものからなる。カップ材２０の外周を縁取るように、細幅の伸縮性テープ２１をカップ材２０の外周縁に縫着している。
左右の各カップ材２０（２０Ａ、２０Ｂ）の肩側端縁２０ａおよび前中心部２０ｂでは、前記縁取りした伸縮テープ２１をそれぞれ若干延長させ、それらの先端に係止材である巳字状金具２２を取り付けている。
【００２８】
即ち、前記延長させた肩側の伸縮性テープ２１ａ（図３の斜線部）および前中心側の伸縮性テープ２１ｂ（図３の斜線部）を介して、左右のカップ材２０の肩側端縁２０ａおよび前中心部２０ｂに、係止材である巳字状金具２２をそれぞれ取り付けている。なお、前中心側の伸縮性テープ２１ｂの巳字状金具２２までの長さ（本実施形態では約１．５ｃｍ）は、肩側の伸縮性テープ２１ａの巳字状金具２２までの長さ（本実施形態では約３．５ｃｍ）より短くして、カップ材２０の脇側への移動を防止している。
一方、カップ材２０の脇側端縁には係止材を取り付けていない。
【００２９】
巳字状金具２２は、図４に示すように、被係止材に挿入される挿入片２２ａと伸縮性テープ固定用の固定部２２ｂとから構成され、固定部２２ｂに、伸縮性テープ２１ａ、２１ｂを巻き付け端部を縫着することによって固定している。
【００３０】
また、左右のカップ材２０の肩側端縁２０ａおよび前中心部２０ｂの巳字状金具２２とそれぞれ対向するカップ部領域１４の所定位置（本実施形態では、カップ部領域１４の中央側上辺１４ｂと脇側上辺１４ｃとの交点付近Ａ、Ｂおよび前中心付近Ｃ）に、巳字状金具２２の挿入片２２ａが挿入される筒部２３ａ、２３ｂからなる被係止材を設けている。  なお、筒部２３ａ、２３ｂを並べて設けておくことにより、係止材である巳字状金具２２の係止位置を適宜調整可能としている。本実施形態では、筒部２３ａ、２３ｂは、伸縮性テープからなる小片を２つに折り曲げてその端部を縫着することにより、挿入片２２ａが挿入できる筒部２３ａ、２３ｂを形成している。
【００３１】
前記構成からなる本発明では、左右の独立したカップ材２０（２０Ａ、２０Ｂ）の肩側端縁２０ａと前中心部２０ｂをカップ部領域１４に夫々係止する構成としているため、たとえバストサイズの大きな着用者が着用しても、左右のカップ材２０が脇側に移動することがなく、カップ材２０をバストの前中心寄りに安定保持することができ、バストの広がりを防止して補正効果を高めることができる。
【００３２】
また、前記のように、カップ材２０の肩側端縁２０ａと前中心部２０ｂとに伸縮性テープ２１ａ、２１ｂを介して巳字状金具２２からなる係止材を取り付け、各巳字状金具２２とそれぞれ対向する位置のカップ部領域１４に、各巳字状金具２２を夫々着脱自在に係止する被係止材の筒部２３ａ、２３ｂを設けているため、着用者の好みに合わせたカップ材の着脱や、着用者の体格やバストサイズの変化に応じたカップ材の取り替え等、自由かつ容易に行うことができる。
また、伸縮性テープ２１ａ、２１ｂを介して巳字状金具２２を取り付けているので、カップサイズと着用者のバストサイズに若干の差異があってもフィット性を高めることができる。
【００３３】
また、カップ材２０には肩側端縁２０ａと前中心部２０ｂの２カ所にのみ巳字状金具２２を取り付け、カップ材２０の脇側端縁には係止材を取り付けずフリーな状態としているので、着用時に左右のカップ材２０が脇側の係止に引っ張られて脇側に移動することがなく、バストの広がりを効果的に防止して補正効果を一層高めることができる。
【００３４】
また、前記のように、係止材の巳字状金具２２と係止する被係止材２３は複数の筒部２３ａ、２３ｂを備えているため、係止位置を調整可能とすることができる。その結果、着用者にとって最もフィットしやすい部位を選択してカップ部材を係止することができ、各自のバストサイズやバストの隆起状態などに対応した理想的なカップ部とすることができる。
【００３５】
図５に第２実施形態を示す。
第２実施形態では、前記係止材としてオス・ホック２４を伸縮性テープ２１ａ、２１ｂに取り付け、前記被係止材として、メス・ホック２５ａ、２５ｂを各係止材に対向するカップ部領域１４の所定位置に取り付けており、その他については、第１実施形態と同様としている。
【００３６】
図６に第３実施形態を示す。
第３実施形態では、前記係止材としてボタン穴２６を伸縮性テープ２１ａ、２１ｂに設け、前記被係止材としてボタン２７ａ、２７ｂを各係止材に対向するカップ部領域１４の所定位置に取り付けており、その他については、第１実施形態と同様としている。
【００３７】
図７に第４実施形態を示す。
第４実施形態では、前記係止材としてオス・面ファスナー２８を伸縮性テープ２１ａ、２１ｂに取り付け、前記被係止材としてメス・面ファスナー２９ａ、２９ｂを各係止材に対向するカップ部領域１４の所定位置に取り付けており、その他については、第１実施形態と同様としている。
【００３８】
第２、第３、第４実施形態においても、第１実施形態と同様、バストの広がりを防止してバストの補正効果を高めることができると共に、着用者の好みに合わせたカップ材の着脱や、着用者の体格やバストサイズの変化に応じたカップ材の取り替え等、自由かつ容易に行うことができ、着用時の係止外れも防止できる。
【産業上の利用可能性】
【００３９】
なお、本発明は前記実施形態に限定されるものではない。例えば、ブラ付きキャミソール、ブラスリップ、ボディスーツなどのインナーウェア、ブラ付きＴシャツ等のアウターウェア、レオタードや水着等にも適用することができる。
【図面の簡単な説明】
【００４０】
【図１】第１実施形態におけるカップ部を有する肌着の正面図である。
【図２】第１実施形態におけるカップ部を有する肌着の背面図である。
【図３】前記肌着の肌側の内面側の要部拡大図である。
【図４】係止材である巳字状金具の正面図である。
【図５】第２実施形態における肌着の内面側の要部拡大図である。
【図６】第３実施形態における肌着の内面側の要部拡大図である。
【図７】第４実施形態における肌着の内面側の要部拡大図である。
【図８】従来例を示す図である。
【符号の説明】
【００４１】
１０  肌着（衣類本体）
１１  前身頃
１２  後身頃
１３  肩紐
１４  カップ部領域
１４ａ  バージスライン
１４ｂ  中央部上辺
１４ｃ  脇側上辺
２０  カップ材
２０ａ  肩側端縁
２０ｂ  前中心部
２１ａ、２１ｂ  伸縮性テープ
２２  係止材（巳字状金具）
２３ａ、２３ｂ  被係止材（筒部）
２４  係止材（オス・ホック）
２５ａ、２５ｂ  被係止材（メス・ホック）
２６  係止材（ボタン穴）
２７ａ、２７ｂ  被係止材（ボタン）
２８  係止材（オス・面ファスナー）
２９ａ、２９ｂ  被係止材（メス・面ファスナー）
【図１】
2008095247.tif 000003
【図２】
2008095247.tif 000004
【図３】
2008095247.tif 000005
【図４】
2008095247.tif 000006
【図５】
2008095247.tif 000007
【図６】
2008095247.tif 000008
【図７】
2008095247.tif 000009
【図８】
2008095247.tif 000010